(57)【要約】【課題】スキャンデータから、ファイル名によって分類可能な画像ファイルを生成するファイル生成装置、ファイル生成方法およびファイル生成プログラムを提供すること。【解決手段】複写装置１は、印刷エンジン１０と、スキャナ部２０と、操作パネル３０と、それぞれが予め決められた命名規則に対応付けられた複数のテンプレート１００およびテンプレートごとの命名規則を規定する命名規則テーブル２００を予め格納するハードディスク４４などを有するコントローラ４０と、を備える。コントローラ４０は、スキャナ部２０により読み取られたスキャンデータに対して、スキャンデータの画像に対応するテンプレート１００を選択し、そのテンプレート１００の命名規則に従ってファイル名を決定する。そして、決定したファイル名の画像ファイルをスキャンデータから生成して、ハードディスク４４に格納する。【選択図】図１
2009205325.tif 000002
【特許請求の範囲】
【請求項１】
入力画像データの画像ファイルを生成するファイル生成装置であって、
それぞれが予め決められた命名規則に対応付けられた１または複数の画像パターンを記憶する画像パターン記憶手段と、
前記画像パターン記憶手段に記憶された前記画像パターンのうちから、前記入力画像データが表す画像に対応する前記画像パターンを選択する画像パターン選択手段と、
選択された前記画像パターンの命名規則に従ってファイル名を決定するファイル名決定手段と、
決定された前記ファイル名が付与された前記画像ファイルを生成するファイル生成手段と、を備えることを特徴とするファイル生成装置。
【請求項２】
請求項１に記載のファイル生成装置において、
前記画像パターン記憶手段に記憶された各画像パターンは、それぞれの命名規則に対応する書式に従うテンプレートであり、
前記画像パターン選択手段は、前記入力画像データが表す画像に対応する書式の前記画像パターンを選択することを特徴とするファイル生成装置。
【請求項３】
請求項１または２に記載のファイル生成装置において、
前記画像パターン記憶手段に記憶された各画像パターンには、生成したファイルの格納先とするフォルダが指定され、
前記ファイル生成手段は、選択された前記画像パターンに対応するフォルダに、前記画像ファイルを格納することを特徴とするファイル生成装置。
【請求項４】
請求項１ないし３のいずれか一項に記載のファイル生成装置において、
分類を同じくすべき複数の画像パターンが１つの命名規則に対応付けられていることを特徴とするファイル生成装置。
【請求項５】
入力画像データの画像ファイルを生成するファイル生成方法であって、
それぞれが予め決められた命名規則に対応付けられた１または複数の画像パターンのうちから、前記入力画像データが表す画像に対応する前記画像パターンを選択する画像パターン選択ステップと、
選択された前記画像パターンの命名規則に従ってファイル名を決定するファイル名決定ステップと、
決定された前記ファイル名が付与された前記画像ファイルを生成する画像ファイル生成ステップと、を備えることを特徴とするファイル生成方法。
【請求項６】
入力画像データの画像ファイルを生成するためのファイル生成プログラムであって、
コンピュータに、
それぞれが予め決められた命名規則に対応付けられた１または複数の画像パターンのうちから、前記入力画像データが表す画像に対応する前記画像パターンを選択する画像パターン選択ステップと、
選択された前記画像パターンの命名規則に従ってファイル名を決定するファイル名決定ステップと、
決定された前記ファイル名が付与された前記画像ファイルを生成する画像ファイル生成ステップと、を実行させることを特徴とするファイル生成プログラム。
【発明の詳細な説明】
【技術分野】
【０００１】
本発明は、入力された画像データから、ファイル名が付与された画像ファイルを生成するファイル生成装置、ファイル生成方法およびファイル生成プログラムに関する。
【背景技術】
【０００２】
従来、スキャナや複合機などの読取装置では、読み取った画像データの画像ファイルに、連番、日付など所定の命名規則に従ってファイル名を付与するようになっている。画像ファイルを分類する際、画像ファイルのファイル名は画像の内容に対応するものではないので、画像ファイルの１つ１つについて画像ファイルが表す画像の内容をユーザー自身が確認する作業が必要となる。
【０００３】
そこで、ユーザーに手間をかけさせることなく、画像ファイルを分類する技術として、特許文献１には、文書を読み取って得られる画像データに対して文字認識処理を行い、認識された文字列に合致するフォルダ名のフォルダに画像データを格納することにより、読み取った画像データをフォルダごとに分類する技術が開示されている。
【０００４】
【特許文献１】特開２００５−２３４７０８号公報
【発明の開示】
【発明が解決しようとする課題】
【０００５】
しかしながら、特許文献１に記載の技術では、ファイルを適切に分類できるか否かが文字認識の精度に依存しているので、例えば、ロゴタイプなどのデザインされた文字を含む文書など、文字認識によっては抽出し難い文字を含む文書については適切に分類できなくなることがあった。
【課題を解決するための手段】
【０００６】
本発明は、上述の課題の少なくとも一部を解決するためになされたものであり、以下の形態または適用例として実現することが可能である。
【０００７】
［適用例１］入力画像データの画像ファイルを生成するファイル生成装置であって、それぞれが予め決められた命名規則に対応付けられた１または複数の画像パターンを記憶する画像パターン記憶手段と、前記画像パターン記憶手段に記憶された前記画像パターンのうちから、前記入力画像データが表す画像に対応する前記画像パターンを選択する画像パターン選択手段と、選択された前記画像パターンの命名規則に従ってファイル名を決定するファイル名決定手段と、決定された前記ファイル名が付与された前記画像ファイルを生成するファイル生成手段と、を備えることを特徴とするファイル生成装置。
【０００８】
この構成によれば、入力画像データから生成される画像ファイルには、入力画像データが表す画像に対応する画像パターンの命名規則に従ってファイル名が付与されるので、ファイル名によって画像ファイルをその画像の内容に応じて分類することができる。また、特許文献１に記載の技術と異なり、文字認識の技術を用いていないので、文字認識によっては抽出し難い文字を含む入力画像データなど、より多様な入力画像データに対応することができる。
【０００９】
［適用例２］上記ファイル生成装置において、前記画像パターン記憶手段に記憶された各画像パターンは、それぞれの命名規則に対応する書式に従うテンプレートであり、前記画像パターン選択手段は、前記入力画像データが表す画像に対応する書式の前記画像パターンを選択することを特徴とするファイル生成装置。
【００１０】
この構成によれば、入力画像データの書式に応じたファイル名が画像ファイルに付与されるので、ファイル名によって画像ファイルを書式ごとに分類することができる。
【００１１】
［適用例３］上記ファイル生成装置において、前記画像パターン記憶手段に記憶された各画像パターンには、生成したファイルの格納先とするフォルダが指定され、前記ファイル生成手段は、選択された前記画像パターンに対応するフォルダに、前記画像ファイルを格納することを特徴とするファイル生成装置。
【００１２】
この構成によれば、入力画像データから生成される画像ファイルを、格納されるフォルダによって画像ファイルの内容ごとに分類することができる。
【００１３】
［適用例４］上記ファイル生成装置において、分類を同じくすべき複数の画像パターンが１つの命名規則に対応付けられていることを特徴とするファイル生成装置。
【００１４】
この構成によれば、分類を同じくすべき複数の画像パターンの各画像パターンに対応する入力画像データに対しては、同じ命名規則に従うファイル名が付与された画像ファイルが生成され、同じ分類の画像ファイルとして扱うことができるようになる。
【００１５】
［適用例５］入力画像データの画像ファイルを生成するファイル生成方法であって、それぞれが予め決められた命名規則に対応付けられた１または複数の画像パターンのうちから、前記入力画像データが表す画像に対応する前記画像パターンを選択する画像パターン選択ステップと、選択された前記画像パターンの命名規則に従ってファイル名を決定するファイル名決定ステップと、決定された前記ファイル名が付与された前記画像ファイルを生成する画像ファイル生成ステップと、を備えることを特徴とするファイル生成方法。
【００１６】
［適用例６］入力画像データの画像ファイルを生成するためのファイル生成プログラムであって、コンピュータに、それぞれが予め決められた命名規則に対応付けられた１または複数の画像パターンのうちから、前記入力画像データが表す画像に対応する前記画像パターンを選択する画像パターン選択ステップと、選択された前記画像パターンの命名規則に従ってファイル名を決定するファイル名決定ステップと、決定された前記ファイル名が付与された前記画像ファイルを生成する画像ファイル生成ステップと、を実行させることを特徴とするファイル生成プログラム。
【発明を実施するための最良の形態】
【００１７】
以下、本発明の実施の形態について、実施例に基づいて説明する。
【００１８】
（第１の実施例）
図１は、第１の実施例に係る複写装置のハードウェア構成を示した図である。図１に示すように、ファイル生成装置の一例である複写装置１は、印刷エンジン１０と、スキャナ部２０と、操作パネル３０と、コントローラ４０と、を備えている。なお、本複写装置１は、スキャナ部２０が原稿を読み取ることにより得られた画像データから、原稿の内容に応じたファイル名の画像ファイルを生成することにより、生成した画像ファイルをファイル名によってその内容ごとに分類しようとするものである。以下、複写装置１の各構成について説明する。
【００１９】
印刷エンジン１０は、電子写真方式の画像形成による印刷を行う部分であり、帯電ユニット、露光ユニット、感光体、現像ユニット、転写ユニット、定着ユニット、トナーカートリッジ等の構成を有している。感光体は、円筒状の導電性基材とその外周面に形成された感光層を有し、中心軸に対して回転可能なドラムである。感光体は帯電ユニットにより帯電されて、その後、露光ユニットによる潜像の形成、現像ユニットによるトナーを用いた潜像の現像がなされる。現像されたトナー像は、転写ユニットによって用紙などの印刷媒体に転写される。定着ユニットは、ローラ表面がゴムなどの弾性体で覆われた定着ローラ、定着ローラを回転させる駆動モータ、定着ローラを加熱するヒーターなどを備えており、加熱された定着ローラが、転写されたトナー像を印刷媒体に定着させることによって印刷媒体に画像が形成される。
【００２０】
スキャナ部２０は、原稿が載置される原稿台と、ラインセンサを搭載したキャリッジと、キャリッジを原稿台に沿って走査させる走査機構等の構成を有している。走査機構によるキャリッジ走査と共に、キャリッジのラインセンサが原稿台に載置された原稿を読み取ることにより、ＲＧＢ各色をビットマップ形式で表現する画像データ（以下「スキャンデータ」という）が生成される。スキャナ部２０は、こうして生成されたスキャンデータをコントローラ４０に出力する。
【００２１】
操作パネル３０は、複写装置１の動作を指示するための画面等を表示するための表示パネル、および原稿の読取や原稿の複写等を指示するユーザー操作を受ける各種ボタン（図示なし）を有する。
【００２２】
コントローラ４０は、印刷エンジン１０、スキャナ部２０および操作パネル３０を制御する部分であり、ＣＰＵ４１と、ＲＯＭ４２と、ＲＡＭ４３と、ハードディスク（以下、「ＨＤ」という）４４と、エンジンＩ／Ｆ４５と、スキャナＩ／Ｆ４６と、パネルＩ／Ｆ４７と、を備えている。
【００２３】
ＲＯＭ４２には、複写装置１を制御するための制御プログラムなどが予め記憶されている。ＲＡＭ４３は、受信バッファやワーキングメモリなどとして用いられる。ＣＰＵ４１は、コントローラ４０の主制御装置であり、ＲＡＭ４３を用いてＲＯＭ４２に記憶された制御プログラムを実行することにより、複写装置１の動作を制御する。また、ＨＤ４４には、後述する複数のテンプレート１００と、命名規則テーブル２００とが予め格納されている。
【００２４】
エンジンＩ／Ｆ４５は、印刷エンジン１０に対するインターフェイス部分であり、画像データを印刷エンジン１０が処理可能な形式のデータに変換して印刷エンジン１０に出力する処理を行う。具体的には、エンジンＩ／Ｆ４５は、ＲＧＢ形式の画像データに対して色変換処理、ハーフトーン処理、パルス幅変調などの処理を行い、パルス幅変調後のデータを出力するＡＳＩＣ（Application Specific Integrated Circuit）で構成されている。
【００２５】
スキャナＩ／Ｆ４６は、スキャナ部２０に接続するインターフェイス部分であり、スキャナ部２０に対して原稿の読取を指示する処理やスキャナ部２０からスキャンデータの入力を受ける処理等を行う。
【００２６】
パネルＩ／Ｆ４７は、操作パネル３０に接続するインターフェイスであり、操作パネル３０の表示パネルに表示信号を出力する処理や操作ボタンからの操作信号の入力を受ける処理等を行う。
【００２７】
次に、コントローラ４０の機能構成について説明する。図２に示すように、コントローラ４０は、テンプレート選択部（画像パターン選択手段）５０と、ファイル名決定部（ファイル名決定手段）６０と、ファイル生成部（ファイル生成手段）７０と、を有する。
【００２８】
テンプレート選択部５０は、スキャナ部２０からコントローラ４０に入力されたスキャンデータ（入力画像データ）に適合するテンプレート１００を、ＨＤ４４に格納された複数のテンプレート１００のうちから選択する。
【００２９】
ここで、ＨＤ４４に格納されたテンプレート１００について説明する。テンプレート１００は、原稿の種類や内容に応じた書式に従う予め定められた画像パターンであり、ＨＤ４４に格納された複数のテンプレート１００には、テキストの入力欄、罫線などのレイアウトがそれぞれに規定されている。例えば、図３（ａ）に例として示す「プレゼンテーション資料」のテンプレート１００ａには、プレゼンテーション資料用のレイアウトを想定して、タイトルなどのテキストを入力するためのテキスト入力欄ＴＳａや、罫線ＲＬａなどが含まれている。一方、もうひとつの「プレゼンテーション資料」用のテンプレート１００ｂには、テキスト入力欄ＴＳｂおよび罫線ＲＬｂが、テンプレート１００ａとは異なるレイアウトの書式となっており（図３（ｂ）参照）、「注文書」用のテンプレート１００ｃにはテキスト入力欄ＴＳｃおよび罫線ＲＬｃが含まれた注文書の書式となっている（図３（ｃ）参照）。このように、ＨＤ４４に格納された複数のテンプレート１００は、テキスト入力欄ＴＳ、罫線ＲＬなどについての数や配置が互いに異なるよう設定されており、テンプレート１００ごとに異なるレイアウトの書式に規定されている。もっとも、図３に説明したテンプレート１００ａ〜ｃはテンプレート１００の一例であって、これに限られるものではない。
【００３０】
なお、ＨＤ４４に格納された複数のテンプレート１００には、複写装置１の工場出荷時に予め格納されたものや、ユーザーが操作パネル３０を操作してスキャナ部２０に原稿を読み取らせることによって得られた画像データがテンプレート１００として登録されたものが含まれる。ユーザーが登録したテンプレート１００については、後述する命名規則についてもユーザーが決定して命名規則テーブル２００に登録される。
【００３１】
テンプレート選択部５０は、ＨＤ４４に格納された各テンプレート１００について、スキャンデータの画像との類似度を算出して類似度を比較することにより、複数のテンプレート１００のうちからスキャンデータに最も適合するテンプレート１００を選択する。
【００３２】
ファイル名決定部６０は、命名規則テーブル２００に従って、選択されたテンプレート１００に対応するファイル名を決定する。
【００３３】
ここで、命名規則テーブル２００について説明する。命名規則テーブル２００には、テンプレートの種類と、ファイル名の命名規則とが対応付けられている。図４に例として示す命名規則テーブル２００では、テンプレート１００ａは命名規則「“ＤｏｃＡ”＋連番」に対応しており、テンプレート１００ａの書式に従うスキャンデータに対しては、“ＤｏｃＡ”の文字列と連番となる番号とを繋ぎ合わせたファイル名が付与されるよう命名規則が規定されている。同様に、テンプレート１００ｂについては命名規則「“ＤｏｃＢ”＋作成日」、テンプレート１００ｃについては命名規則「“ＤｏｃＣ”＋作成日＋連番」と、テンプレート１００ごとに命名規則が規定されている。
【００３４】
なお、例えば、「プレゼンテーション資料」用のテンプレート１００ａには命名規則「“プレゼン資料Ａ”＋連番」、同じく「プレゼンテーション資料」用のテンプレート１００ｂには命名規則「“プレゼン資料Ｂ”＋作成日」、「注文書」用のテンプレート１００ｃには命名規則「“注文書”＋作成日＋連番」とするように、命名規則には、テンプレート１００が想定する書類名の文字列を採用することが望ましい。
【００３５】
また、図４に示すように、命名規則テーブル２００には、テンプレート１００ごとに、ファイルの格納先とするフォルダが規定されている。
【００３６】
ファイル生成部７０は、スキャンデータから、以上に説明した命名規則テーブル２００に従うファイル名が付与された画像ファイルを生成する。そして、ファイル名が付与された画像ファイルを命名規則テーブル２００で指定されたフォルダに格納することにより、スキャンデータを画像ファイルとしてＨＤ４４に保存する処理を行う。
【００３７】
次に、上述した構成をもつ複写装置１における原稿読取時の処理について、図５のフローチャートに従って詳細に説明する。なお、図５の処理は、ＲＯＭ４２に記憶された制御プログラム（ファイル生成プログラム）に従ってＣＰＵ４１が実行するものである。
【００３８】
例えば、スキャナ部２０の原稿台に原稿をセットした状態で、ユーザーが操作パネル３０の操作ボタンを操作することにより原稿の読取が指示されると、図５の処理が開始される。処理を開始すると、まず、コントローラ４０のＣＰＵ４１は、セットされた原稿の読取をスキャナ部２０に命令して原稿を読み取らせる。そして、スキャナ部２０から入力されるスキャンデータをスキャナＩ／Ｆ４６を介して取得する（ステップＳ１０）。
【００３９】
次に、ＣＰＵ４１は、ＨＤ４４に格納された各テンプレート１００について、スキャンデータとの類似度を算出する（ステップＳ２０）。画像間における類似度の算出方法は、周知の画像認識手法であるため詳細な説明は省略するが、例えば、スキャンデータの画像に含まれる頂点部分やエッジなどを特徴点と、テンプレート１００に含まれるテキストの入力欄や罫線部分などについての特徴点との相関の度合や、スキャンデータの画像と各テンプレートとの相関係数を類似度として算出するとよい。
【００４０】
なお、類似度を算出する際には、特開平５−２０４２９号公報に記載のように、回転およびシフトを考慮した画像認識を用いることによって、原稿を載置した位置や向きを考慮して類似度を算出することが望ましい。また、拡大や縮小をさらに考慮した画像認識により類似度を算出するようにしてもよい。
【００４１】
次に、ＣＰＵ４１は、ＨＤ４４に格納された複数のテンプレート１００のうち、スキャンデータとの類似度が最大となるテンプレート１００を選択する（ステップＳ３０）。そして、選択したテンプレート１００の類似度が所定の閾値以上となっているか否かを判断する（ステップＳ４０）。閾値以上であれば（ステップＳ４０：Ｙｅｓ）、ステップＳ３０において選択したテンプレート１００がスキャンデータに対応する書式であると判断して、ＨＤ４４に格納された命名規則テーブル２００を参照して、選択したテンプレート１００に対応する命名規則に従ってファイル名を決定する（ステップＳ５０）。そして、ＣＰＵ４１は、決定したファイル名の画像ファイルを生成して、画像ファイルをＨＤ４４に格納する（ステップＳ６０）。また、このとき、命名規則テーブル２００に指定されたフォルダに画像ファイルを格納することにより、選択したテンプレート１００の種類に応じたフォルダに画像ファイルが分類される。
【００４２】
一方、選択したテンプレート１００の類似度が閾値以上でなければ（ステップＳ４０：Ｎｏ）、ＣＰＵ４１は、スキャンデータに対応する書式をもつテンプレート１００がないと判断して、連番や日付などの通常の命名規則に従ってファイル名を決定する（ステップＳ７０）。そして、ＣＰＵ４１は、決定したファイル名の画像ファイルを生成して、ＨＤ４４の所定のフォルダに格納する（ステップＳ６０）。
【００４３】
ステップＳ６０の処理を行うと図５の処理は終了する。なお、ステップＳ２０〜Ｓ３０の処理はＣＰＵ４１がテンプレート選択部５０として行う処理であり、請求項に記載の画像パターン選択ステップに相当する。ステップＳ５０およびＳ７０の処理はＣＰＵ４１がファイル名決定部６０として行う処理であり、ステップＳ５０の処理が請求項に記載のファイル名決定ステップに相当する。ステップＳ６０の処理はＣＰＵ４１がファイル生成部７０として行う処理であり、請求項に記載の画像ファイル生成ステップに相当する。
【００４４】
以上に述べたように、第１の実施例に係る複写装置１では、互いに異なる書式をもつ複数のテンプレート１００のうち、スキャンデータに対応するテンプレート１００に決められた命名規則に従ってスキャンデータの画像ファイルにファイル名を付与することによって、画像ファイルをその画像がもつ書式に従って分類することができる。これにより、ユーザーは、複写装置１のスキャナ機能によって得られる画像ファイルについて、ファイルの整理などの管理を簡単に行うことができる。なお、特許文献１に記載のように文字認識技術を用いていないので、文字認識によっては抽出し難い文字を含む原稿や、文字を含まない原稿等、より様々な原稿のスキャンデータに対応することが可能である。
【００４５】
また、スキャンデータの画像ファイルは、その画像がもつ書式に応じて別々のフォルダに格納されるようにして、フォルダごとに分類されるので、ユーザーにとっては画像ファイルの管理がさらに簡単になる。
【００４６】
（第２の実施例）
上記第１の実施例では、パターン画像であるテンプレート１００と、命名規則とが１対１に対応していたが、複数のパターン画像が１つの命名規則に対応するようにしてもよい。第２の実施例では、スキャンデータの画像に含まれるロゴタイプ（パターン画像）に応じてファイル名を命名する場合を例に説明する。
【００４７】
第２の実施例では、図６に例として示す命名規則テーブル４００がＨＤ４４に格納されている。図６に示すように、命名規則テーブル４００では、字体や文字のデザインなどが異なる複数のロゴタイプ３００ａ，３００ｂ，３００ｃについて１つの命名規則「“ロゴＡ”＋連番」が規定され、他のロゴタイプ３００ｄ，３００ｅについても１つの命名規則「“ロゴＢ”＋作成日」が規定され、１つの命名規則が複数のロゴタイプに対応するようになっている。これは、１つの企業や団体が複数のロゴタイプを用いていることに対応させたものであり、同じ企業や団体のロゴタイプであれば、文字の書体などのデザインに違いがあっても同じ命名規則が適用されるようになっている。もちろん、ロゴタイプとしては、文字を含むものに限られることなく、絵柄や図形のみで構成されたものであってもよい。
【００４８】
ロゴタイプに従ってファイル名を命名する場合、ＣＰＵ４１は、原稿を読み取ったスキャンデータの画像に対して、命名規則テーブル４００に規定された各ロゴタイプ３００についてスキャンデータの画像とのパターンマッチングを行い、最大の相関値を得ることができたロゴタイプ３００を選択する。
【００４９】
そして、命名規則テーブル４００を参照して、選択したロゴタイプ３００に対応する命名規則に従ってファイル名を決定し、スキャンデータの画像ファイルに命名する。これにより、読み取った原稿に含まれるロゴタイプに対応するファイル名が付与された画像ファイルを得ることができる。なお、第２の実施例においても、第１の実施例と同様に、命名規則ごとに画像ファイルの格納先とするフォルダを変更するようにしてもよい。
【００５０】
以上に説明した第２の実施例によれば、同一の企業や団体などが使用するロゴタイプを含む画像ファイルに対して、同一の命名規則に従うファイル名を付与することができ、スキャンデータの画像ファイルを、企業や団体ごとに纏めて分類することができる。
【００５１】
以上、第１の実施例および第２の実施例について説明したが、以下の変形例としてもよい。
【００５２】
（変形例１）各テンプレート１００について類似度を算出した結果、スキャンデータの画像に類似すると判断できる複数のテンプレートが存在する場合、ユーザーがテンプレートを選択するようにしてもよい。例えば、複数のテンプレートについて類似度が同程度となったとき、テンプレートを選択するための画面を操作パネル３０の表示パネルに表示させ、操作パネル３０の操作ボタンに加えられるユーザー操作に従ってテンプレートを選択するようにしてもよい。また、この場合、次回以降の原稿読取時に、同じ組合せの複数のテンプレートがスキャンデータの画像に類似すると判断できる場合に、ユーザーによって選択されたテンプレートを優先的に選択することによって、選択すべきテンプレートを学習する機能をもたせるようにしてもよい。
【００５３】
（変形例２）上記第１の実施例および第２の実施例では、ファイル生成装置の一例として、スキャナ機能およびプリント機能を有する複写装置について説明したが、スキャナのホスト装置をファイル生成装置としてもよい。すなわち、パーソナルコンピュータなどにインストールされるスキャナドライバに、テンプレート選択部５０、ファイル名決定部６０、およびファイル生成部７０としての機能をもたせるようにしてもよい。
【図面の簡単な説明】
【００５４】
【図１】第１の実施例に係る複写装置のハードウェア構成を示した図。
【図２】コントローラの機能構成を示した図。
【図３】テンプレートを示した図であり、（ａ）〜（ｃ）はテンプレートの一例を示した図。
【図４】命名規則テーブルの一例を示した図。
【図５】スキャンデータの画像ファイルを生成する際の処理の流れを示したフローチャート。
【図６】第２の実施例に係る命名規則テーブルの一例を示した図。
【符号の説明】
【００５５】
１…ファイル生成装置としての複写装置、１０…印刷エンジン、２０…スキャナ部、３０…操作パネル、４０…コントローラ、４１…ＣＰＵ、４２…ＲＯＭ、４３…ＲＡＭ、４４…画像パターン記憶手段としてのハードディスク、４５…エンジンＩ／Ｆ、４６…スキャナＩ／Ｆ、４７…パネルＩ／Ｆ、５０…画像パターン選択手段としてのテンプレート選択部、６０…ファイル名決定手段としてのファイル名決定部、７０…ファイル生成手段としてのファイル生成部、１００…画像パターンとしてのテンプレート、２００…命名規則テーブル、３００…画像パターンとしてのロゴタイプ。
【図１】
2009205325.tif 000003
【図２】
2009205325.tif 000004
【図３】
2009205325.tif 000005
【図４】
2009205325.tif 000006
【図５】
2009205325.tif 000007
【図６】
2009205325.tif 000008